(57)【要約】【課題】貯溜槽９の給水系や排水系のトラブルによる、貯溜槽９からの排水のオーバーフローを、新たな水位検知手段を設けないで防止することを可能とした圧送排水装置を提供する。【解決手段】貯溜槽９と、流量スイッチ３６と、カッター１０と、フロートスイッチ１２と、排水ポンプ１１と、制御部８とを備えた圧送排水装置であって、フロートスイッチ１２が水位を検出できない状態の下で、制御部８が、カッター１０を流量スイッチ３６の検知信号に基づいて、予め設定された複数回、正常に作動させたとき、これに関連して、排水ポンプ１１を強制運転させるように制御し、また貯溜槽９内にトイレ排水が流入しているにも拘わらず流量スイッチ３６がこの流入を検知せずカッター１０が運転状態とならない状態の下で、フロートスイッチ１２が排水ポンプ１１の起動水位ａ１を正常に検知することにより、制御部８が排水ポンプ１１を作動させるように制御する構成である。【選択図】図１
2010255236.tif 000002
【特許請求の範囲】
【請求項１】
排水を貯溜するための貯溜槽と、該貯溜槽内にトイレ排水が流入していることを検知する流量スイッチと、該流量スイッチにより前記貯溜槽内にトイレ排水が流入している期間を検知し該期間中に運転状態となって該トイレ排水中の汚物を粉砕するカッターと、該貯溜槽内の排水の水位を検知するフロートスイッチと、該フロートスイッチの検知信号に基づき運転状態となって前記貯溜槽内に流入した排水を外方へ圧送する排水ポンプと、各部を制御する制御部とを備えた圧送排水装置であって、前記フロートスイッチが水位を検出できない状態の下で、前記制御部が前記カッターを前記流量スイッチの検知信号に基づいて、予め設定された複数回、正常に作動させたとき、これに関連して前記制御部が前記排水ポンプを強制運転させ該強制運転を監視するように制御し、また前記貯溜槽内にトイレ排水が流入しているにも拘わらず前記流量スイッチがこの流入を検知せず前記カッターが運転状態とならない状態の下で、前記フロートスイッチが前記排水ポンプの起動水位を正常に検知することにより、前記制御部が前記排水ポンプを作動させ該作動を監視するように制御することを特徴とする圧送排水装置。
【請求項２】
請求項１記載の圧送排水装置において、前記貯溜槽内にトイレ排水が流入しているにも拘わらず前記制御部が前記カッターを作動させない状態の下で、前記フロートスイッチが前記起動水位を正常に検知することに基づいて前記制御部が前記排水ポンプを任意に設定された複数回、起動させたとき、前記制御部が、前記貯溜槽内へのトイレ排水の流入に関する異常状態と判断して警報出力を発し各部の自動運転を停止させることを特徴とする圧送排水装置。
【請求項３】
請求項１記載の圧送排水装置において、前記カッターの一回の連続運転時間が、正常作動状態のそれよりも長い予め設定された設定時間となったとき、前記制御部が、前記貯溜槽内へのトイレ排水の流入に関する異常状態と判断して警報出力を発し各部の自動運転を停止させることを特徴とする圧送排水装置。
【請求項４】
請求項１記載の圧送排水装置において、前記フロートスイッチが前記排水ポンプの起動水位を正常状態時の連続検出期間よりも長い予め設定された設定期間に亘って連続検出したとき、前記制御部が、前記フロートスイッチや排水機能の異常状態と判断して警報出力を発することを特徴とする圧送排水装置。
【請求項５】
請求項１記載の圧送排水装置において、前記フロートスイッチが１つ設けられていることを特徴とする圧送排水装置。
【請求項６】
請求項１記載の圧送排水装置において、前記カッターが、縦軸回りに回転される刃部と、該刃部の下方及び側方を包囲する包囲体とを備え、該包囲体は前記貯溜槽内に位置され平面視５角形以上の多角形とされた有底筒体であって、前記刃部の下部に形成された切刃の真横や下方となる部位を下側へ向かうほどすぼまるような漏斗状とされ且つ、前記切刃よりも高い側周部にトイレ排水の流入口とトイレ排水の流出孔とを形成されると共に、該流出孔を前記起動水位よりも高く位置されていることを特徴とする圧送排水装置。
【発明の詳細な説明】
【技術分野】
【０００１】
本発明は、地下などの低所で生じたトイレ排水などを任意高さの場所まで排出させることのできる圧送排水装置に関する。
【背景技術】
【０００２】
トイレ排水や生活排水に使用される圧送排水装置は、排水を溜める貯溜槽、該貯溜槽内の排水を圧送により排出する排出ポンプ、該貯溜槽内に流入する排水中の汚物を粉砕するカッター、該貯溜槽内の排水の水位を検知する水位検知手段などを備え、地上又は地下に設置されるものであり、カッターの排水流入口は水洗便器の排水出口に適宜な排水路を介して連結される。水洗便器から排出されたトイレ排水中の汚物は、カッターで粉砕され、排水ポンプで排水と一緒に外方へ圧送される。このような圧送排水装置は、例えば特許文献１、２などに開示されている。
【０００３】
この種の圧送排水装置においては、水洗便器を経て貯溜槽へ水を供給するための給水系のトラブルや、貯溜槽内の排水を外方へ圧送する排水系のトラブルによって発生する貯溜槽からの排水のオーバーフローを防止することが重要である。このため、特に特許文献１に開示された技術では、水位検知手段として、高価な感圧センサや電極式センサが用いられ、これらセンサにより貯溜槽内の排水の水位が検知され、この検知に基づいて排水ポンプの運転が制御されるようになっている。
【０００４】
また特許文献２に開示された技術では、水位検知手段として、３つのフロートスイッチが用いられており、これらフロートスイッチの作動に関連して排水ポンプの運転が制御されるようになっている。
【先行技術文献】
【特許文献】
【０００５】
【特許文献１】特開２００６−２８９１８号公報
【特許文献２】特許第３４６２８９２号公報
【発明の概要】
【発明が解決しようとする課題】
【０００６】
本発明は、貯溜槽の給水系や排水系のトラブルによる、貯溜槽からの排水のオーバーフローを、新たな水位検知手段を設けないで防止することを可能とした圧送排水装置を提供することを目的とするものである。
【課題を解決するための手段】
【０００７】
上記目的を達成するため、本発明に係る圧送排水装置は、排水を貯溜するための貯溜槽と、該貯溜槽内にトイレ排水が流入していることを検知する流量スイッチと、該流量スイッチにより前記貯溜槽内にトイレ排水が流入している期間を検知し該期間中に運転状態となって該トイレ排水中の汚物を粉砕するカッターと、該貯溜槽内の排水の水位を検知するフロートスイッチと、該フロートスイッチの検知信号に基づき運転状態となって前記貯溜槽内に流入した排水を外方へ圧送する排水ポンプと、各部を制御する制御部とを備えた圧送排水装置であって、前記フロートスイッチが水位を検出できない状態の下で、前記制御部が前記カッターを前記流量スイッチの検知信号に基づいて、予め設定された複数回、正常に作動させたとき、これに関連して前記制御部が前記排水ポンプを強制運転させ該強制運転を監視するように制御し、また前記貯溜槽内にトイレ排水が流入しているにも拘わらず前記流量スイッチがこの流入を検知せず前記カッターが運転状態とならない状態の下で、前記フロートスイッチが前記排水ポンプの起動水位を正常に検知することにより、前記制御部が前記排水ポンプを作動させ該作動状況を監視するように制御することを特徴とするものである。
【発明の効果】
【０００８】
本発明によれば、フロートスイッチが貯溜槽内の水位上昇を検出できない状態となっても、この状態下でカッターが複数回、作動して貯溜槽内にトイレ排水が許容限界を超えない程度に貯まった時点で、排水ポンプが、該カッターの複数回の作動に基づいて強制運転され、貯溜槽内の排水が外方へ圧送されるのであり、したがって排水系のフロートスイッチのトラブルによる貯溜槽からの排水のオーバーフローが新たな他の水位検知手段を設けることなく防止できるのである。
【０００９】
また貯溜槽へのトイレ排水の流入を検知するための給水系の検知手段である流量スイッチが必要な検知をすることができない状態下において、カッターが作動しないままトイレ排水が貯溜槽内に流入した場合に、フロートスイッチが排水ポンプの起動水位を正常に検知することにより、排水ポンプが運転され貯溜槽内の排水が外方へ圧送されて、貯溜槽からの排水のオーバーフローが防止されるのであり、また給水系の流量スイッチにトラブルが生じた状態の下での排水ポンプの作動の回数の計数に基づいて、新たな他の水位検知手段を設けることなく流量スイッチのトラブルを認識することが可能となって該トラブルに早期に対処することができるのであり、したがってカッターで粉砕されないまま貯溜槽内に流入したトイレ排水が排水ポンプの圧送管路内を閉塞する事態が回避され、該事態に起因した貯溜槽からの排水のオーバーフローが防止されるのである。
【００１０】
以上のように、給水系の流量スイッチと、排水系のフロートスイッチとが相補的に互いのトラブルを監視し合うものとなって、新たな水位検知手段を設けることなく、貯溜槽からの排水のオーバーフローが防止されるのである。
【図面の簡単な説明】
【００１１】
【図１】本発明の一実施例に係る圧送排水装置を含むトイレ装置の施工図である。
【図２】上記圧送排水装置の本体部を示し、Ａは平面図でＢは正面図である。
【図３】上記本体部のカッター周辺を示し一部を断面とされた側面図である。
【図４】上記本体部の排水ポンプ周辺を示し一部を断面とされた側面図である。
【図５】上記トイレ装置の通常運転の場合の動作フロー図である。
【図６】上記通常運転時の各部の作動を示すタイムチャートである。
【図７】上記本体部のフロートスイッチが故障した場合におけるトイレ装置の動作フロー図である。
【図８】上記フロートスイッチが故障した場合におけるトイレ装置の作動を示すタイムチャートである。
【図９】上記本体部の流量スイッチが故障した場合におけるトイレ装置の動作フロー図である。
【図１０】上記流量スイッチが故障した場合におけるトイレ装置の作動を示すタイムチャートである。
【図１１】上記流量スイッチが故障した場合におけるトイレ装置の作動を示すタイムチャートである。
【図１２】上記トイレ装置が排水不能状態となった場合における動作フローを示している。
【図１３】上記トイレ装置の制御部による異常表示がされた後の動作フローを示している。
【図１４】トイレ装置の他の施工例を示す図である。
【発明を実施するための形態】
【００１２】
本発明の実施の形態を次の実施例により詳細に説明する。
【実施例】
【００１３】
図１は本発明の一実施例に係る圧送排水装置を含むトイレ装置の施工図である。
図１中、１はトイレ室であり、２は上水配管室である。これらトイレ室１及び上水配管室２はトイレ室１と同フロアに形成されている。トイレ室１よりも下層フロアに形成された３は機械室であり、トイレ室１よりも下層フロアに形成される。トイレ室１、上水配管室２及び機械室３には、本発明の一実施例である圧送排水装置４を含むトイレ装置が形成されている。トイレ室１の床面１ａ上には、洋式の水洗便器４０が設置されると共に、この便器４０の後部にロータンク５が配設されている。
【００１４】
圧送排水装置４は、機械室３内の床面３ａ上に設置された本体部４Ａと、上水配管室２内に設けられ市水ライン６に接続された電磁弁セット７と、トイレ室１内に設置された制御部８とからなっている。
【００１５】
図２は本体部４Ａを示し、Ａは平面図でＢは正面図である。図２にも示すように、本体部４Ａは、内容積が例えば１２リットル程度とされ内部が密閉状とされる箱形の貯溜槽９を備え、この貯溜槽９の上面壁９ａにカッター１０、排水ポンプ１１、及び、フロートスイッチ１２が水密状に装着されるほか排水ポンプ１１の排水出口を接続される排水送出口１３（図１参照）及び、通気口１４が形成された構成となっている。
【００１６】
図３はカッター１０周辺を示し一部を断面とされた側面図である。カッター１０は上面壁９ａの上側に配設された駆動モータ１０ａと、貯溜槽９の内方に形成された粉砕部１０ｂとからなる。粉砕部１０ｂは駆動モータ１０ａの縦向き出力軸１５の下端に固定された刃部１６と、この刃部１６の外周囲を取り巻いた状態の包囲体１７とを備えている。
【００１７】
刃部１６は縦向き出力軸１５を下方へ延長し縦向き出力軸１５と同体にネジ固定された回転軸部１６ａと、この回転軸部１６ａの下面にネジ固定され該下面の縦向き出力軸１５回りの３等分位置のそれぞれから斜め下方へ向け且つ回転軸部１６ａの回転半径外方へ向け延伸された切刃１６ｂとからなる。
【００１８】
包囲体１７は貯溜槽９内に位置され平面視５角形以上の多角形とされた有底筒体であって、切刃１６の真横や下方となる部位１７ａを下方へ向かうほどすぼまるような漏斗状とされ且つ、切刃１６ｂよりも高い回転軸部１６ａの横方を包囲した縦向き多角筒形の側周部１７ｂを備え、この側周部１７ｂにトイレ排水の流入口１７ｃとトイレ排水の流出孔１７ｄとを形成されている。
【００１９】
このさい、流出孔１７ｄは貯溜槽９内に貯溜されるトイレ排水の水位と関連した高さとされるのであり、具体的には、流出孔１７ｄの最下部は駆動モータ１１ａが自動的に起動されるときのトイレ排水の水位（起動水位）ａ１と同一あるいはこれよりも高く設定されている。そして、流入口１７ｃの最下部は流出孔１７ｄのそれよりも低く設定されている。また包囲体１７の内方で流入口１７ｃと刃部１６との間には流入口１７ｃからのトイレ排水の真っ直ぐな流入を妨げるための邪魔板１８がほぼ起立状に固設されている。したがって、流入口１７ｃから包囲体１７内へ流入したトイレ排水は邪魔板１８の案内作用により先ず下向きへ流動して切刃１６ｂ周辺に到達し、その後、上向きへ流動して流出口１７ｄから包囲体１７の外方へ流出するようになる。
【００２０】
図２などに示す貯溜槽９の側面壁９ｂには排水ホース接続口１９が外方への張出し状に形成されている。この排水ホース接続口１９は貯溜槽９内において包囲体１７の流入口１７ｃに図３に示す通水管２０を介して連通されている。
【００２１】
図４は排水ポンプ１１周辺を示し一部を断面とされた側面図である。排水ポンプ１１は、前記カッター１０に隣接して上面壁９ａの上側に位置された駆動モータ１１ａと、貯溜槽９の内方に形成されたポンプ本体部１１ｂとからなる。駆動モータ１１ａは上面壁９ａの開口ｂ１を覆う中間板２１及び水封部材２２を介して上面壁９ａに位置保持されている。ポンプ本体部１１ｂはトイレ排水に送液エネルギを付与するポンプ室２３と、このポンプ室２３の真下に形成された給水口２３ａと、ポンプ室２３から吐出されるトイレ排水の通過する吐出内管２３ｂとを備えており、吐出内管２３ｂの末端は中間板２１に設けられた接続口部材２４に接続されている。ポンプ本体部１１ｂの下部には複数の脚部２５が形成されており、これら脚部２５が貯溜槽９の底面壁９ｃ上面に当接されてポンプ本体部１１ｂは安定的に固定された状態となっている。
【００２２】
図２に示すフロートスイッチ１２は貯溜槽９内に貯溜したトイレ排水の水位が図３中の起動水位ａ１に達したことを検知するためのものであり、水面に浮いた図示しないフロート部が水面の上下移動に連動して変位することにより自身のスイッチ部が入り切り作動する構造となっている。
【００２３】
接続口部材２４の上側で貯溜槽９の上方には吐出管２６が接続されており、この吐出管２６は長さ途中にチャッキ弁２７やボールバルブ２８が設けられている。また吐出管２６にはチャッキ弁２７をバイパスするためのドレン管２９が形成されており、このドレン管２９の長さ途中にはドレン弁３０が設けられており、このドレン弁３０を開放することにより、チャッキ弁２７の下流側の吐出管２６内のトイレ排水が貯溜槽９内に流下する構成となっている。また通気口１４には管接続部材１４ａが連通状に固定されている。また、トイレの手洗い水を直接、貯溜槽９に受ける流入口１９ａが、オプショナルとして設けられることがある。以上が本体部４Ａの構成である。
【００２４】
図１に示すように、便器４０の排水出口４０ａは排水管３１及び排水ホース３２を介して本体部４Ａのホース接続口１９と連通されている。また本体部４Ａの吐出管２６の端末には排水圧送管３３が接続されており、この排水圧送管３３の端末が図示しない汚水槽まで導かれている。また管接続部材１４Ａには通気立ち上がり管３４が連通されており、その端末は通風性の良好な場所に導かれている。
【００２５】
電磁弁セット７は水入口側から順に給水電磁弁３５及び流量スイッチ３６が設けられており、電磁弁セット７の水出口がロータンク５に設けられたボールタップ３７の水入口に給水管３８を介して接続されている。ロータンク５には洗浄レバー３９が設けられており、この洗浄レバー３９を揺動操作して開放することによりロータンク５内に貯溜された水が便器４０内に供給される。  
【００２６】
制御部８は、電源４１から電力を供給されると共に、カッター１０、排水ポンプ１１、フロートスイッチ１２、給水電磁弁３５及び流量スイッチ３６のそれぞれと信号線で接続され必要な制御を行う構成とされている。
【００２７】
上記したトイレ装置の作動について図を参照しながら下記Ａ：、Ｂ：、Ｃ：、Ｄ：、Ｅ：、Ｆ：、Ｇ：の各場合に分けて説明する。以下の説明で各部を動作させる主体が特に明記されてないとき、各部は基本的に制御部８により制御され動作する。
Ａ：各部が正常に作動する通常運転の場合
図５は通常運転の場合のトイレ装置の動作フロー図である。
【００２８】
トイレ装置の管理者により制御部８の電源スイッチが入り状態とされることにより、ステップｓ１０１にて制御部８は各部が故障発生中であるか否かを判断し、否（Ｎｏ）であれば、ステップｓ１０２にて給水電磁弁３５を開放する。これにより、ボールタップ３７はロータンク５内の給水停止水位まで市水を流入させる。このとき流量スイッチ３６は入り（オン）状態となるが、この使用準備段階での流量スイッチ３６の入り作動に関連した作動は生じないように設計されている。こうして使用準備が完了した状態の下で、トイレ装置の使用者が洗浄レバー３７を開放操作することにより、ロータンク５内の水が便器４０内に流入し、トイレ排水（汚物などを含む排水）が排水管３１及び排水ホース３２を通じて貯溜槽９内に流動し、貯溜槽９内では通水管２０及び流入口１７ｃを経てカッター１０の粉砕部１０ｂ内に到達する。
【００２９】
一方では、ロータンク５内の水の流出に関連して、ボールタップ３７が給水電磁弁３５や流量スイッチ３６を通じロータンク５内の給水停止水位まで市水を流入させる。ステップｓ１０３において、ロータンク５内への市水の流入を流量スイッチ３６が検知して入り作動し、ステップｓ１０４にて制御部８に組み込まれたカッター連続作動回数カウンタの計数値（カッター連続カウント）が「１」だけ増加され、続いてステップｓ１０５にて制御部８に組み込まれた排水ポンプ連続作動回数カウンタの計数値（排水ポンプ連続カウント）が「０」にリセットされ、続いてステップｓ１０６にてカッター１０が起動（オン）される。
【００３０】
次にステップｓ１０７にて、カッター連続カウントが「４」に達しているか否かが判断され、否であれば、ステップｓ１０８にてカッター１０が起動されてから１８０秒が経過したか否かが判断され、否（Ｎｏ）であればステップｓ１０９にて流量スイッチ３６が切り（オフ）状態であるか否かが判断され、是（Ｙｅｓ）であればステップｓ１１０にてカッター１０が停止（オフ）される。これにより、今回の洗浄レバー３９の開放操作によるカッター１０の作動は終了する。ステップｓ１０９にて流量スイッチ３６が入り状態である限り、及び、カッター連続カウントが「４」に到達しない限り、及び、カッター１０が１８０秒間の運転を終了するまで、ステップｓ１０６からステップｓ１０７までの作動が繰り返される。
【００３１】
以後、トイレ装置の使用者が洗浄レバー３９を開放操作するごとに、ステップｓ１０３からステップｓ１１０までの作動が繰り返されるのである。
【００３２】
次にカッター１０の運転によるトイレ排水の粉砕処理について、図３を参照して説明する。
流入口１７ｃから包囲体１７内に流入したトイレ排水は水平方向の流動を邪魔板１８で遮られ下方へ案内され、切刃１６ｂ周辺に到達する。そして、縦向き出力軸１５回りへ回転される切刃１６ｂがその周辺に達したトイレットペーパや汚物を粉砕する。このように粉砕された汚物などは後続して流入口１７ｃから流入するトイレ排水に押されて上昇され、流出口１７ｄに達した後、切刃の遠心力が加わり、ここから包囲体１７の外方へ流出される。このようなＵ字形経路を経たトイレ排水の流動過程における汚物などの、切刃１６ｂによる粉砕はトイレ排水の直線的な流動過程における粉砕よりも効果的に行われ、汚物などの微細化が促進される。
【００３３】
トイレ装置が使用されるたびに、貯溜槽９内には粉砕された汚物を含むトイレ排水が流入して貯溜槽９内のトイレ排水の水位が上昇する。そしてステップｓ１１１にて、この水位が予め定めた高さ（起動水位ａ１）に達したか否かが判断されるのであり、起動水位ａ１に達したときはフロートスイッチ１２が入り（オン）状態となる。
【００３４】
ステップｓ１１２にて、フロートスイッチ１２が入り状態となったことに関連して、排水ポンプ連続カウントが「１」増加し、続いてステップｓ１１３にて、カッター連続カウントが「０」にリセットされ、続いてステップｓ１１４にて、制御部８に組み込まれた排水ポンプ強制連続カウンタの計数値（排水ポンプ強制連続カウント）が「０」にリセットされる。
【００３５】
ステップｓ１１５において、排水ポンプ連続カウントが「２」に達したか否かが判断され、否であれば、ステップｓ１１６にて排水ポンプ１１が起動（オン）される。
【００３６】
ステップｓ１１７では、排水ポンプ１１が起動してから１５秒が経過したか否かが判断され、是であれば、ステップｓ１１８にて排水ポンプ１１が停止（オフ）される。これにより、フロートスイッチ１２の１回の入り状態による排水ポンプ１１の作動が終了し、貯溜槽９内に残留する排水は殆ど無くなり、フロートスイッチ１２は切り状態となる。
【００３７】
次に通常運転時の各部の作動を図６に基づいてさらに具体的且つ時系列的に説明する。
図６は通常運転時の各部の作動を示すタイムチャートである。
図６中、縦軸方向の最上段から最下段までの８つの各段には、上から順に、カッター連続カウントのチャートＣＨ１、排水ポンプ連続カウントのチャートＣＨ２、排水ポンプ強制連続カウントの欄（チャートは存在しない）、流量スイッチ３６の作動状態を示すチャートＣＨ３、フロートスイッチ１２の作動状態を示すチャートＣＨ４、カッター１０の作動状態を示すチャートＣＨ５、排水ポンプ１１の作動状態を示すチャートＣＨ６、給水電磁弁３５の作動状態を示すチャートＣＨ７を示している。横軸は経過時間を示し、この経過時間を表す符号ｔａに添えられている数字はこの経過時間ｔａの大きさの順を示すもので経過時間ｔａの大きいものほど大きなものとなっている。
【００３８】
チャートＣＨ７は、制御部８の電源スイッチを時間ｔａ０に入り状態にされたことにより給水電磁弁３５が開放され、その後は、継続して開放状態となっていることを示している。チャートＣＨ３及びチャートＣＨ５は洗浄レバー３９が時間ｔａ１、ｔａ３、ｔａ５、ｔａ９、ｔａ１１のそれぞれの時点で開放操作されたことを示しており、また時間ｔａ１から時間ｔａ２までの期間、時間ｔａ３から時間ｔａ４までの期間、時間ｔａ５から時間ｔａ７までの期間、時間ｔａ９から時間ｔａ１０までの期間、及び、時間ｔａ１１から時間ｔａ１２までの期間のそれぞれは、流量スイッチ３６が入り状態に、そしてカッター１０が運転状態になっていることを示している。チャートＣＨ１は時間ｔａ１から時間ｔａ６までの期間内にフロートスイッチ１２が入り状態となることなく、流量スイッチ３６が３回の洗浄レバー３９の開放操作（トイレ装置の使用）により３回入り状態となったことを示しており、また時間ｔａ９から時間ｔａ１２までの期間内にフロートスイッチ１２が入り状態となることなく、流量スイッチ３６が２回の洗浄レバー３９の開放操作（トイレ装置の使用）により２回入り状態となったことを示している。ここでチャートＣＨ１内の数はカッター連続カウントの数であり、チャートＣＨ１の計数値「１」が時間ｔａ９から時間ｔａ１１までの長い期間となっているのは、流量スイッチ３６の入り状態の時間間隔（トイレ使用間隔）が大きいからである。チャートＣＨ４はフロートスイッチ１２が時間ｔａ６と時間ｔａ１３で一定時間だけ検知状態となったことを示している。チャートＣＨ６は排水ポンプ１１がフロートスイッチ１２の各入り時点ｔａ６，ｔａ１３から１５秒間運転されたことを示している。チャートＣＨ２内の数は排水ポンプ連続カウントの数がフロートスイッチ１２の入り時点ｔａ６からその後の流量スイッチ３６の入り時点ｔａ９まで、及びフロートスイッチ１２の入り時点ｔａ１３以降、１であることを示している。以上の各チャートは各部が正常に作動していることを意味している。
【００３９】
Ｂ：排水ポンプ１１が強制運転される場合（フロートスイッチ１２が故障した場合）
例えば、フロートスイッチ１２の可動部の固着や、スイッチ部の損傷などにより、フロートスイッチ１２が貯溜槽９の水位上昇を検出できない切り状態に固定された場合には、排水ポンプ１１が運転状態とならないため、トイレ排水が便器４０から溢れ出る恐れがある。このような事態に対処するべく、本実施例では各部が制御部８により次のように制御される。
【００４０】
図７はフロートスイッチ１２が故障した場合におけるトイレ装置の動作フロー図である。図８はフロートスイッチ１２が故障した場合における各部の作動を示すタイムチャートである。図中、一部図５のフローを記述している（破線、左側）。
流量スイッチ３６が入り状態となるたびに、カッター１０が起動されると同時に、カッター連続カウントが「１」だけ増加される。ここでは、フロートスイッチ１２が入り状態とならない故障が一時的に生じているため、トイレ装置が使用されて流量スイッチ３６が入り状態となるごとにカッター連続カウントの数はゼロにリセットされることなく増加していく。
【００４１】
また貯溜槽９の有効貯溜水量が１２リットルであり、一回の洗浄レバー３９の開放操作により６リットルのトイレ排水が便器４０の排水出口４０ａから流出されるものとする。そして、貯溜槽９内のトイレ排水の量が１２リットルに到達したとき、排水ポンプ１１が１回運転されるように設定されているものとする。
【００４２】
このような条件の下で、洗浄レバー３９が４回、開放操作されると、図８中のチャートＣＨ３及びチャートＣＨ５で示すように、時間ｔｂ１から時間ｔｂ２まで、時間ｔｂ３から時間ｔｂ４まで、時間ｔｂ５から時間ｔｂ６まで、時間ｔｂ７から時間ｔｂ１０までの各期間中、流量スイッチ３６が入り状態に、そしてカッター１０が運転状態となる。そしてチャートＣＨ１が示すように時間ｔｂ７でカッター連続カウントが「４」になる。そして、ステップｓ１０７にてカッター連続カウントの数が４であることが判別され、ステップｓ２０１にてチャートＣＨ８で示すように排水ポンプ強制連続カウントが、ゼロに「１」を加算した数である「１」となる。
【００４３】
次にステップｓ２０２にて、カッター連続カウントが「０」にリセットされる。そしてステップｓ２０３にて排水ポンプ強制連続カウントが「３」であるか否かが判断され、否であれば、ステップ１１６に移行し、チャートＣＨ５で示すように排水ポンプ１１が時間ｔｂ８からｔｂ９までの１５秒間、運転されるのであり、以後、通常運転時と同様に図５中のステップｓ１１７及びステップｓ１１８の作動が実行される。
【００４４】
この後、トイレ装置が使用されて洗浄レバー３９が２回、開放操作されると、図８中のチャートＣＨ３及びチャートＣＨ５で示すように、時間ｔｂ１１から時間ｔｂ１２まで、時間ｔｂ１３から時間ｔｂ１４までの各期間中、流量スイッチ３６が入り状態に、そしてカッター１０が運転状態となる。そしてチャートＣＨ１で示すように時間ｔｂ１３からカッター連続カウントが「２」になる。この時点で、フロートスイッチ１２の故障が修復されていると、以後は図５に示す通常運転時のステップｓ１１１からステップｓ１１８までの場合と同様に作動するのであり、即ち、チャートＣＨ４で示すように、フロートスイッチ１２が起動水位ａ１を検知して時間ｔｂ１５から暫くの期間、入り状態となり、これに関連して、排水ポンプ連続カウントの数がチャートＣＨ２で示すように時間ｔｂ１５から「１」となり、またチャートＣＨ６で示すように排水ポンプ１１が時間ｔｂ１５からｔｂ１６までの１５秒間、運転される。以後は図５に示す通常運転時の作動フローに従って各部が作動する。
【００４５】
一方、フロートスイッチ１２が故障状態にある下で、トイレ装置が使用されて洗浄レバー３９が１２回、開放操作されると、排水ポンプ強制連続カウントの数が「３」となるのであり、ステップｓ２０３にてこのことが判別される。そして、ステップｓ２０４にてフロートスイッチ異常を意味する異常表示がされ、また警報出力が発せられる。
【００４６】
Ｃ：流量スイッチ３６が常時入り状態となる場合（流量スイッチ３６が故障した場合）
この場合には、カッター１０が連続運転され、駆動モータ１０ａとしての電動機が温度上昇し或いは焼損する恐れがある。このような事態に対処するべく、本実施例では各部が制御部８により次のように制御される。
【００４７】
図９は流量スイッチが故障した場合におけるトイレ装置の動作フロー図である。図１０は流量スイッチが故障した場合における各部の作動を示すタイムチャートである。図中、一部図５のフローを記述している（破線、下側）。
先と同様に、貯溜槽９の有効貯溜水量が１２リットルであり、一回の洗浄レバー３９の開放操作により６リットルのトイレ排水が便器４０の排水出口４０ａから流出されるものとする。そして、貯溜槽９内のトイレ排水の量が１２リットルに到達したとき、排水ポンプ１１が１回運転されるように設定されているものとする。
【００４８】
このような条件の下で、通常運転時に、トイレ装置が使用されて洗浄レバー３９が一回目の開放操作を実行されると、図１０中のチャートＣＨ３で示すように、流量スイッチ３６が時間ｔｃ１から時間ｔｃ２まで入り状態となり、その後、トイレ装置が使用されて洗浄レバー３９が二回目の開放操作を実行され、ここで流量スイッチ３６が常時入り状態となる故障が発生したとき、流量スイッチ３６は時間ｔｃ３の後に入り状態を継続される。一方では通常運転時の場合と同様に、チャートＣＨ５で示すように、カッター１０が時間ｔｃ１から時間ｔｃ２までの期間、及び、時間ｔｃ３以降に運転状態となる。これに関連してカッター連続カウントは時間ｔｃ１から時間ｔｃ３まで「１」となり、時間ｔｃ３以降では「２」となる。
【００４９】
上記のような作動では、ステップｓ１０８にて、流量スイッチ３６が時間ｔｃ３で入り状態となってから１８０秒が経過したか否かが判断され、是であれば、ステップｓ３０１にて時間ｔｃ４以降、流量スイッチ異常を意味する異常表示がされる。
【００５０】
Ｄ：流量スイッチ３６が常時切り状態となる場合（流量スイッチ３６が故障した場合）
この場合には、カッター１０が起動できないため、トイレ排水に含まれる汚物などが破砕されず、通水管２０や粉砕部１０ｂ内に汚物などが詰まり、トイレ装置が使用不能となる恐れがある。このような事態に対処する必要があり、本実施例ではこのような故障の場合、制御部８により各部は次のように作動される。
【００５１】
図１１は流量スイッチ３６が故障した場合における各部の作動を示すタイムチャートである。
この場合は貯溜槽９の有効貯溜水量が比較的大きく、カッター１０が例えば３回以上連続して運転されたときに排水ポンプ１１が１回運転される程度に、トイレ排水が貯溜槽９内に溜まるものとする。
【００５２】
このような条件の下で、通常運転時に、トイレ装置が使用されて洗浄レバー３９が一回目の開放操作を実行されると、図１１中のチャートＣＨ３及びチャートＣＨ５で示すように、時間ｔｄ１から時間ｔｄ２まで、時間ｔｄ３から時間ｔｄ４までの各期間に、流量スイッチ３６が入り状態に、そしてカッター１０が運転状態となる。これに関連して、チャートＣＨ１で示すように、カッター連続カウントが時間ｔｄ３以降「２」となる。
【００５３】
この後、流量スイッチ３６が常時切り状態となる故障が発生し、この故障状態の下でトイレ装置が使用されて、洗浄レバー３９が３回目の開放操作を実行されても、流量スイッチ３６は常時切り状態を維持される。したがって、この後はカッター１０は起動されることが不可能となり、トイレ排水は粉砕されることなく貯溜槽９内に流入し、トイレ排水の水位が上昇することになる。そして、チャートＣＨ４で示すように、トイレ排水が起動水位ａ１に達した時点である時間ｔｄ５で、フロートスイッチ１２が暫くの期間入り状態となり、チャートＣＨ２で示すように排水ポンプ連続カウントが時間ｔｄ５から「１」となり、またチャートＣＨ６で示すように排水ポンプ１１が時間ｔｄ５から時間ｔｄ６までの１５秒間、運転状態となる。
【００５４】
この後、トイレ装置が使用されて洗浄レバー３９が開放操作されると、流量スイッチ３６が切り状態を維持されたまま貯溜槽９内のトイレ排水の水位が上昇する。そして、トイレ排水が時間ｔｄ７で再び起動水位ａ１に達すると、チャートＣＨ４で示すようにフロートスイッチ１２が入り状態となる。これに関連して、チャートＣＨ２で示すように、排水ポンプ連続カウントが時間ｔｄ７以降「２」に増加する。
【００５５】
上記のような作動中、図９中のステップｓ１１５に到達したとき、ここで排水ポンプ連続カウントの数が「２」になっていることが判別され、ステップｓ３０１にて時間ｔｄ８以降、流量スイッチ異常を意味する異常表示がされる。
【００５６】
Ｅ：排水不能状態となった場合
例えば、排水ポンプ１１の駆動モータ１１ａのオートカット発生や、排水性能の低下、及び、排水圧送管３３の詰まりによる排水不能に陥った場合は、貯溜槽９内の水位が上昇して、便器４０内の水位が上昇し、汚物などが便器４０から溢れ出る恐れがある。このような事態に対処するべく、本実施例では各部が制御部により次のように制御される。
【００５７】
図１２は排水不能状態となった場合におけるトイレ装置の作動フローを示している。
ステップｓ１１１にてフロートスイッチ１２が入り（オン）状態であるか否かが判断され、是であれば、ステップｓ４０１にてフロートスイッチ１２が切り状態であるか否かが判断される。このステップｓ４０１での判断が否であれば、フロートスイッチ１２が入り状態となってから１０秒間が経過したか否かが判断され、否であれば、ステップｓ４０１に戻る。こうして、フロートスイッチ１２が切り状態とならない限り、１０秒間に亘って、フロートスイッチ１２が切り状態となったか否かが判断される。そして、ステップｓ４０２にて１０秒間が経過してもフロートスイッチ１２が切り状態とならないときは、制御部８は排水不能状態であると判断し、ステップｓ４０３にて貯溜槽９内が満水となっていることを意味する異常表示がされる。
【００５８】
Ｆ：図７中のステップｓ２０４、図９中のステップｓ３０１、又は、図１２中のステップｓ４０３に至った場合
図１３は各ステップｓ２０４、ｓ３０１、ｓ４０３に至った後のトイレ装置の作動フローを示している。
ステップｓ５０１にて、図１０や図１１中のチャートＣＨ７で示すように給水電磁弁３５が時間ｔｃ４、時間ｔｄ８で切り状態となってロータンク５への給水が停止され、また警報出力が発せられると共に、トイレ装置の自動運転が停止される。ステップｓ５０２にて排水ポンプ連続カウントが「０」にリセットされ、ステップｓ５０３にてカッター連続カウントが「０」にリセットされ、ステップｓ５０４にて排水ポンプ強制連続カウントが「０」にリセットされる。
【００５９】
Ｇ：その他
（１）排水ポンプ１１やカッター１０が過負荷となった場合には、制御部８はこれに組み込まれた排水ポンプ１１用のサーマルリレーやカッター１０用のサーマルリレーによりこれらの過負荷を検出して、警報出力を発すると共に、自動運転を停止させる。
【００６０】
（２）排水ポンプ１１やカッター１０の電気回路の漏電の場合には、制御部８はこれに設けられた漏電ブレーカにより排水ポンプ１１やカッター１０の漏電を検出して、警報出力を発すると共に、自動運転を停止させる。
【００６１】
（３）制御部８に組み込まれたプログラマブルコントローラ（シーケンサ）が故障した場合には制御部８はこの故障を従来同様に検出して、警報出力を発すると共に自動運転を停止させる。
【００６２】
図１４はトイレ装置の他の施工例を示す図である。
図１の施工例においては、トイレ室１及び上水配管室２は同フロアに形成され、機械室３は下層フロアに形成されていたのに対し、この例においては機械室３も同フロアに形成されている。トイレ室１の便器４０は床上排水便器であり、圧送排水装置４は便器４０と同フロアに設置されている。尚、図中、図１と同じものは同一符号を付してある。
【符号の説明】
【００６３】
４  圧送排水装置
８  制御部
９  貯溜槽
１０  カッター
１１  排水ポンプ
１２  フロートスイッチ
１５  縦向き回転軸（縦軸）
１６  刃部
１６ｂ  切刃
１７  包囲体
１７ｃ  流入口
１７ｄ  流出孔
３６  流量スイッチ
ａ１  排水ポンプ１１の起動水位
【図１】
2010255236.tif 000003
【図２】
2010255236.tif 000004
【図３】
2010255236.tif 000005
【図４】
2010255236.tif 000006
【図５】
2010255236.tif 000007
【図６】
2010255236.tif 000008
【図７】
2010255236.tif 000009
【図８】
2010255236.tif 000010
【図９】
2010255236.tif 000011
【図１０】
2010255236.tif 000012
【図１１】
2010255236.tif 000013
【図１２】
2010255236.tif 000014
【図１３】
2010255236.tif 000015
【図１４】
2010255236.tif 000016